(57)【要約】【課題】引出形遮断器と接地用開閉器とのインタロックを実現する配電盤を提供する。【解決手段】接地用操作ハンドルＨを接地用挿入口１２に挿入不能とする挿入不能位置及び接地用操作ハンドルＨを接地用挿入口１２に挿入可能とする挿入可能位置に移動可能な接地用シャッター８と、引出形遮断器４の移動とともに移動するシャッター係止部と、を備え、シャッター係止部は、引出形遮断器４の移動により接続端子と被接続部３とが非接続状態となった場合、挿入可能位置への接地用シャッター８の到達を可能とする位置に配置され、接続端子と被接続部３とが接続状態となった場合、挿入可能位置への接地用シャッター８の到達を不能とする位置に配置される。【選択図】図１
2018182788.tif 000002
【特許請求の範囲】
【請求項１】
接続端子と、被接続部と、前記接続端子及び前記被接続部の接続状態を切り換え可能となるように移動する引出形遮断器と、前記被接続部を接地状態及び非接地状態に切り換え可能な接地用開閉器と、を筐体の内部に備え、
前記筐体に備えられた接地用挿入口に、接地用操作ハンドルを挿入して操作することにより、前記接地用開閉器を介して前記被接続部の接地状態及び非接地状態を切り換える配電盤であって、
前記接地用操作ハンドルを前記接地用挿入口に挿入不能とする挿入不能位置及び前記接地用操作ハンドルを前記接地用挿入口に挿入可能とする挿入可能位置に移動可能な接地用シャッターと、前記引出形遮断器の移動とともに移動するシャッター係止部と、を備え、
前記シャッター係止部は、前記引出形遮断器の移動により前記接続端子と前記被接続部とが非接続状態となった場合、前記挿入可能位置への前記接地用シャッターの到達を可能とする位置に配置され、前記接続端子と前記被接続部とが接続状態となった場合、前記挿入可能位置への前記接地用シャッターの到達を不能とする位置に配置されることを特徴とする配電盤。
【請求項２】
前記接地用シャッターには、前記シャッター係止部が係止される係止部が突出するように形成されていることを特徴とする請求項１に記載の配電盤。
【請求項３】
前記筐体は、遮断器用操作ハンドルが挿入される遮断器用挿入口と、前記遮断器用挿入口に遮断器用操作ハンドルを挿入不能とする挿入不能位置及び前記遮断器用操作ハンドルを前記遮断器用挿入口に挿入可能とする挿入可能位置に移動可能な遮断器用シャッターと、前記接地用挿入口を介して前記接地用操作ハンドルの先端部が挿入可能となる筒状部と、を備え、
前記筒状部は、前記接地用開閉器を介して前記被接続部を前記接地状態とする接地位置と、前記被接続部を前記非接地状態とする非接地位置とに移動可能であり、
前記筒状部には、前記筒状部の移動とともに移動可能に係止板が固定され、
前記係止板は、前記筒状部が前記接地位置にある場合は、前記遮断器用シャッターの移動経路上にあり、前記遮断器用シャッターの前記挿入可能位置への到達を不能とし、前記筒状部が前記非接地位置にある場合は、前記遮断器用シャッターの前記挿入可能位置への到達を可能とする位置にあることを特徴とする請求項１又は２に記載の配電盤。
【請求項４】
接続端子と、被接続部と、前記接続端子及び前記被接続部の接続状態を切り換え可能となるように移動する引出形遮断器と、前記被接続部を接地状態及び非接地状態に切り換え可能な接地用開閉器と、を筐体の内部に備え、
前記筐体に備えられた接地用挿入口に、接地用操作ハンドルを挿入して操作することにより、前記接地用開閉器を介して前記被接続部の接地状態及び非接地状態を切り換える配電盤であって、
前記筐体は、遮断器用操作ハンドルが挿入される遮断器用挿入口と、前記遮断器用挿入口に遮断器用操作ハンドルを挿入不能とする挿入不能位置及び前記遮断器用操作ハンドルを前記遮断器用挿入口に挿入可能とする挿入可能位置に移動可能な遮断器用シャッターと、前記接地用挿入口を介して前記接地用操作ハンドルの先端部が挿入可能となる筒状部と、を備え、
前記筒状部は、前記接地用開閉器を介して前記被接続部を前記接地状態とする接地位置と、前記被接続部を前記非接地状態とする非接地位置とに移動可能であり、
前記筒状部には、前記筒状部の移動とともに移動可能に係止板が固定され、
前記係止板は、前記筒状部が前記接地位置にある場合は、前記遮断器用シャッターの移動経路上にあり、前記遮断器用シャッターの前記挿入可能位置への到達を不能とし、前記筒状部が前記非接地位置にある場合は、前記遮断器用シャッターの前記挿入可能位置への到達を可能とする位置にあることを特徴とする配電盤。
【請求項５】
筒状の本体部を備え、
前記筒状部は、前記本体部の外周に嵌合し、前記本体部に対して前記本体部の中心軸に沿った方向に移動可能に設けられ、前記本体部の中心軸に沿った方向の前記接地用挿入口側に付勢され、外周面に凸部を有し、
前記筒状部の外周には、環状のロック板が嵌合されており、
前記ロック板の内周には、前記凸部が嵌合される切欠き状の第一の凹部と第二の凹部とが同一円周上に形成され、
前記ロック板は、前記接地用挿入口を介して前記接地用操作ハンドルを前記筒状部に挿入して前記付勢方向とは逆方向に前記筒状部を押圧した際に前記第一の凹部又は第二の凹部に嵌合されている凸部の嵌合が外れるように、前記本体部に対して固定されており、
前記凸部は、前記筒状部が前記接地位置にある場合は、前記第二の凹部に嵌合し、前記筒状部が前記非接地位置にある場合は、前記第一の凹部に嵌合し、それぞれの状態が保持されることを特徴とする請求項３に記載の配電盤。
【発明の詳細な説明】
【技術分野】
【０００１】
本発明は、インタロック機構を備えた配電盤に関するものである。
【背景技術】
【０００２】
従来、配電盤には、開閉扉付きの筐体の内部に引出形遮断器を移動可能に備えたものがある（例えば、特許文献１参照）。この配電盤では、引出形遮断器を移動させることにより、電源と負荷側機器との接続状態を切り換えるようにしている。また、配電盤には、インタロック機構が備えられている。インタロック機構は、電源と負荷側機器とが接続状態または接続途中状態となる位置に引出形遮断器があるときに開閉扉が開かないようにするものである。配電盤は、このようにすることで、電源と負荷側機器とが接続状態または接続途中状態であるときに万一短絡事故が発生しても配電盤外部の人体を保護することが出来る。
【０００３】
また、配電盤には、負荷側機器を接地状態と非接地状態とに切り換え可能な接地用開閉器を筐体内に備えたものがある（例えば、特許文献２参照）。配電盤は、筐体内に引出形遮断器を備えているとともに、筐体に開閉扉を備えている。この配電盤においては、負荷側機器が接地状態のとき、接地用開閉器の操作口をシャッターで塞ぎ、鍵で施錠することによりこの状態を保持することが可能である。配電盤は、施錠した鍵を使用して、配電盤の扉を開くようにすれば、接地状態の場合のみに配電盤の扉を開くことが可能である。
【先行技術文献】
【特許文献】
【０００４】
【特許文献１】特開２００８−２２００７０号公報
【特許文献２】国際公開第２０１４／０１０１１０号パンフレット
【発明の概要】
【発明が解決しようとする課題】
【０００５】
しかし、上述した特許文献１及び特許文献２に記載の配電盤は、引出形遮断器と筐体の扉とのインタロック、もしくは、接地用開閉器と筐体の扉とのインタロックを考慮したものであって、引出形遮断器と接地用開閉器とのインタロックを考慮したものではなかった。即ち、特許文献１及び特許文献２に記載の配電盤には、接地用開閉器を接地状態とした際に、誤って遮断器が運転位置に移動しないようにするという配慮、あるいは、遮断器が運転位置のときに誤って接地用開閉器が接地状態にならないようにするという配慮等は無かった。
【０００６】
本発明は、上記に鑑みてなされたものであって、引出形遮断器と接地用開閉器とのインタロックを実現する配電盤を提供することを目的とする。
【課題を解決するための手段】
【０００７】
上述した課題を解決し、目的を達成するために、本発明に係る配電盤は、接続端子と、被接続部と、前記接続端子及び前記被接続部の接続状態を切り換え可能となるように移動する引出形遮断器と、前記被接続部を接地状態及び非接地状態に切り換え可能な接地用開閉器と、を筐体の内部に備え、前記筐体に備えられた接地用挿入口に、接地用操作ハンドルを挿入して操作することにより、前記接地用開閉器を介して前記被接続部の接地状態及び非接地状態を切り換える配電盤であって、前記接地用操作ハンドルを前記接地用挿入口に挿入不能とする挿入不能位置及び前記接地用操作ハンドルを前記接地用挿入口に挿入可能とする挿入可能位置に移動可能な接地用シャッターと、前記引出形遮断器の移動とともに移動するシャッター係止部と、を備え、前記シャッター係止部は、前記引出形遮断器の移動により前記接続端子と前記被接続部とが非接続状態となった場合、前記挿入可能位置への前記接地用シャッターの到達を可能とする位置に配置され、前記接続端子と前記被接続部とが接続状態となった場合、前記挿入可能位置への前記接地用シャッターの到達を不能とする位置に配置されることを特徴とする。
【０００８】
本発明に係る配電盤においては、前記接地用シャッターには、前記シャッター係止部が係止される係止部が突出するように形成されているとよい。
【０００９】
本発明に係る配電盤においては、前記筐体は、遮断器用操作ハンドルが挿入される遮断器用挿入口と、前記遮断器用挿入口に遮断器用操作ハンドルを挿入不能とする挿入不能位置及び前記遮断器用操作ハンドルを前記遮断器用挿入口に挿入可能とする挿入可能位置に移動可能な遮断器用シャッターと、前記接地用挿入口を介して前記接地用操作ハンドルの先端部が挿入可能となる筒状部と、を備え、前記筒状部は、前記接地用開閉器を介して前記被接続部を前記接地状態とする接地位置と、前記被接続部を前記非接地状態とする非接地位置とに移動可能であり、前記筒状部には、前記筒状部の移動とともに移動可能に係止板が固定され、前記係止板は、前記筒状部が前記接地位置にある場合は、前記遮断器用シャッターの移動経路上にあり、前記遮断器用シャッターの前記挿入可能位置への到達を不能とし、前記筒状部が前記非接地位置にある場合は、前記遮断器用シャッターの前記挿入可能位置への到達を可能とする位置にあるとよい。
【００１０】
本発明に係る配電盤は、接続端子と、被接続部と、前記接続端子及び前記被接続部の接続状態を切り換え可能となるように移動する引出形遮断器と、前記被接続部を接地状態及び非接地状態に切り換え可能な接地用開閉器と、を筐体の内部に備え、前記筐体に備えられた接地用挿入口に、接地用操作ハンドルを挿入して操作することにより、前記接地用開閉器を介して前記被接続部の接地状態及び非接地状態を切り換える配電盤であって、前記筐体は、遮断器用操作ハンドルが挿入される遮断器用挿入口と、前記遮断器用挿入口に遮断器用操作ハンドルを挿入不能とする挿入不能位置及び前記遮断器用操作ハンドルを前記遮断器用挿入口に挿入可能とする挿入可能位置に移動可能な遮断器用シャッターと、前記接地用挿入口を介して前記接地用操作ハンドルの先端部が挿入可能となる筒状部と、を備え、前記筒状部は、前記接地用開閉器を介して前記被接続部を前記接地状態とする接地位置と、前記被接続部を前記非接地状態とする非接地位置とに移動可能であり、前記筒状部には、前記筒状部の移動とともに移動可能に係止板が固定され、前記係止板は、前記筒状部が前記接地位置にある場合は、前記遮断器用シャッターの移動経路上にあり、前記遮断器用シャッターの前記挿入可能位置への到達を不能とし、前記筒状部が前記非接地位置にある場合は、前記遮断器用シャッターの前記挿入可能位置への到達を可能とする位置にあることを特徴とする。
【００１１】
本発明に係る配電盤においては、筒状の本体部を備え、前記筒状部は、前記本体部の外周に嵌合し、前記本体部に対して前記本体部の中心軸に沿った方向に移動可能に設けられ、前記本体部の中心軸に沿った方向の前記接地用挿入口側に付勢され、外周面に凸部を有し、前記筒状部の外周には、環状のロック板が嵌合されており、前記ロック板の内周には、前記凸部が嵌合される切欠き状の第一の凹部と第二の凹部とが同一円周上に形成され、
前記ロック板は、前記接地用挿入口を介して前記接地用操作ハンドルを前記筒状部に挿入して前記付勢方向とは逆方向に前記筒状部を押圧した際に前記第一の凹部又は第二の凹部に嵌合されている凸部の嵌合が外れるように、前記本体部に対して固定されており、前記凸部は、前記筒状部が前記接地位置にある場合は、前記第二の凹部に嵌合し、前記筒状部が前記非接地位置にある場合は、前記第一の凹部に嵌合し、それぞれの状態が保持されるとよい。
【発明の効果】
【００１２】
上述の構成によれば、接続端子と被接続部とが接続状態となる位置に引出形遮断器がある場合には、接地用ハンドルの接地用挿入口への挿入が接地用シャッターによって不能とされている。更に、シャッター係止部が接地用シャッターの挿入可能位置への移動を妨げるので、接地用挿入口を挿入可能状態とすることができない。従って、接続端子と被接続部とが接続状態となる位置に引出形遮断器がある場合には、被接続部の切り替え操作を行うことができない。
【００１３】
また、上述の構成によれば、被接続部が接地状態にある場合は、遮断器用シャッターが挿入不能位置から挿入可能位置へ移動する経路に係止板が存在し、遮断器用シャッターの挿入可能位置への移動を不能とする。従って、被接続部が接地状態にある場合は、引出形遮断器の切り替え操作を行うことができない。
【図面の簡単な説明】
【００１４】
【図１】図１は、本発明の実施の形態である配電盤の正面図である。
【図２】図２は、図１におけるＡ−Ａ線断面図である。
【図３】図３は、図１におけるＢ−Ｂ線断面図である。
【図４】図４は、図１に示した配電盤のインタロック機構を示す要部拡大断面側面図である。
【図５】図５は、図１に示した配電盤の接地用シャッターが挿入可能位置にある場合の説明図である。
【図６】図６は、図１に示した配電盤の接地用シャッターが挿入不能位置にある場合の説明図である。
【図７】図７は、図２におけるＣ−Ｃ線断面図である。
【図８】図８は、図１に示した配電盤の遮断器用シャッターと係止板の位置関係を示す要部拡大断面正面図である。
【図９】図９は、図１に示した配電盤の接地用操作軸の前端部を示す要部拡大断面側面図である。
【図１０】図１０は、図１に示した配電盤の接地用操作軸の前端部を示す要部拡大断面側面図である。
【図１１】図１１は、図１に示した配電盤の接地用操作軸の前端部に接地用操作ハンドルを挿入して押圧した状態を示す要部拡大断面側面図である。
【図１２】図１２は、図９におけるＥ−Ｅ線断面図である。
【図１３】図１３は、図９におけるＦ−Ｆ線断面図である。
【図１４】図１４は、図１に示した配電盤の係止板を示す正面図である。
【発明を実施するための形態】
【００１５】
以下に添付図面を参照して、本発明に係る配電盤の好適な実施形態について図１〜図１４に基づいて詳細に説明する。この実施形態では、説明の便宜上、配電盤の正面側を前側、背面側を後側として説明する。
【００１６】
配電盤１は、筐体２と、接地用開閉器５と、接地用操作軸６と、を備えている。筐体２は、直方体状の箱体であり、前面に扉２ｂを備えている。筐体２の扉２ｂには、遮断器用挿入口１１と、遮断器用シャッター７とが配設され、筐体２には、接地用挿入口１２と、接地用シャッター８とが配設されている。遮断器用挿入口１１は、遮断器用操作ハンドルが挿入される部分である。接地用挿入口１２は、接地用操作ハンドルＨが挿入される部分である。
【００１７】
遮断器用シャッター７は、板状に形成されている。遮断器用シャッター７は、扉２ｂに対して左右方向にスライド移動可能に備えられている。遮断器用シャッター７は、遮断器用挿入口１１を閉塞する位置（挿入不能位置）と開放する位置（挿入可能位置）とに移動可能に設けられている。挿入不能位置は、遮断器用操作ハンドルを遮断器用挿入口１１に挿入不能とする位置である。挿入可能位置は、遮断器用操作ハンドルを遮断器用挿入口１１に挿入可能とする位置である。
【００１８】
接地用シャッター８は、板状に形成されている。接地用シャッター８は、筐体２に対して左右方向にスライド移動可能に備えられている。接地用シャッター８は、接地用挿入口１２を閉塞する位置（挿入不能位置）と開放する位置（挿入可能位置）とに移動可能に設けられている。挿入不能位置は、接地用操作ハンドルＨを接地用挿入口１２に挿入不能とする位置である。挿入可能位置は、接地用操作ハンドルＨを接地用挿入口１２に挿入可能とする位置である。接地用シャッター８の背面には、図４に示すように、係止用凸部７１（係止部）が背面側に突出するように形成されている。係止用凸部７１は、接地用シャッターの上部の一部を後方に折り曲げた形状に形成されている。
【００１９】
筐体２内には、手前側に載置台２ａが配設され、奥側上方に、被接続部３が配設され、その下方に、接地用開閉器５が配設されている。載置台２ａ上には、引出形遮断器４が載置されている。載置台２ａには、載置台２ａの上部から垂下されるように固定部２５が配設されている。
【００２０】
被接続部３は、筐体２内の載置台２ａよりも上方であって引出形遮断器４よりも後方に備えられている。被接続部３は、後述する接続端子１５，１６が着脱可能にプラグインされる開口部を有している。開口部は、筐体２の前面に向けて開口している。被接続部３は、負荷側被接続部１３と電源側被接続部１４とを有している。負荷側被接続部１３の上に電源側被接続部１４が配設されている。負荷側被接続部１３は、外部の負荷側機器と電気的に接続される部分である。電源側被接続部１４は、外部の電源と接続される部分である。
【００２１】
引出形遮断器４は、直方体状の台部４ａと、台部４ａの前端部から上方に向けて延在した部分４ｂとを備えている。台部４ａの下面四隅にはそれぞれ車輪１７が設けられている。引出形遮断器４は、車輪１７を介して筐体２の載置台２ａに載置され、前後に移動することが可能である。引出形遮断器４の上方に向けて延在した部分４ｂの背面側には、２つの接続端子として負荷側接続端子１５及び電源側接続端子１６が設けられている。
【００２２】
負荷側接続端子１５と、電源側接続端子１６とは、それぞれ接続部が後方を向くように配設されている。負荷側接続端子１５は、負荷側被接続部１３に対向するように設けられ、電源側接続端子１６は、電源側被接続部１４に対向するように設けられている。引出形遮断器４が載置台２ａ上の前方に設定した断路位置に配置された場合には、被接続部４と接続端子１５，１６との間が離隔した状態にある。一方、引出形遮断器４を後方の運転位置に移動させると、負荷側接続端子１５が負荷側被接続部１３に接続し、電源側接続端子１６が電源側被接続部１４に接続される。
【００２３】
引出形遮断器４が断路位置の際の台部４ａの底部下方には、図４に示すように、インタロック機構である第一インタロック部材２２と第二インタロック部材２３（シャッター係止部）と回転板２４とが設置され、引き出し型遮断器４が運転位置に移動した際引き出し型遮断器の底板２１がインタロック部材２２を下方に押圧して動作する構成としている。
【００２４】
第一インタロック部材２２は、直方体状に形成されている。第一インタロック部材２２は、図４に示すように、上下方向に延在し、一定範囲内を上下動可能に固定部２５に配設されている。第一インタロック部材２２は、上限に位置する場合、その上部が、載置台２ａの上面より上方に突出するように配設されている。第一インタロック部材２２は、上方に付勢されている。引出形遮断器４が断路位置から運転位置へ移動すると、その過程で引き出し型遮断器４の底板２１が第一インタロック部材２２の上面を下方に押圧し、第一インタロック部材２２を下方に移動させる。引出形遮断器４が運転位置から断路位置に移動すると、引き出し型遮断器４の底板２１も後方から前方に移動し、第一インタロック部材２２は、底板２１の押圧から開放され、上限まで移動する。
【００２５】
第二インタロック部材２３は、棒状に形成され、第一インタロック部材２２の前側に配置されている。第二インタロック部材２３は、前後方向に延在し、一定範囲内を前後方向に移動可能に固定部２５に配設されている。第二インタロック部材２３は、後端部が回転板２４を介して第一インタロック部材２２と連結されている。第二インタロック部材２３の前端部は、引出形遮断器４が運転位置のとき、接地用シャッター８の移動経路に存在する。第二インタロック部材２３の前端部は、引出形遮断器４が運転位置のとき、接地用シャッター８の挿入可能位置への到達を不能とする位置に配置される。第二インタロック部材２３は、引出形遮断器４が断路位置にあるとき、第二インタロック部材２３全体が、接地用シャッター８の移動経路から退避した位置に存在する。第二インタロック部材２３は、引出形遮断器４が断路位置にあるとき、接地用シャッター８の挿入可能位置への到達を可能とする位置に配置される。
【００２６】
回転板２４は、第一インタロック部材２２の前側であって、第二インタロック部材２３の後側に配設されている。回転板２４には、第一支軸３１と第二支軸３２と回転軸３３とが、互いに平行に設けられている。第一支軸３１、第二支軸３２及び回転軸３３は、第一支軸３１及び回転軸３３を結ぶ直線と、第二支軸３２及び回転軸３３を結ぶ直線と、が略９０度で交差する位置に配設されている。回転板２４は、第一支軸３１を介して第一インタロック部材２２と連結され、第二支軸３２を介して第二インタロック部材２３の後端部と連結されている。回転板２４は、回転軸３３を中心に回転する。回転板２４は、回転軸３３によって筐体２の固定部２５に軸支されている。回転板２４が、回転軸３３を中心に回転するのに伴い、第一支軸３１は上下動し、第二支軸３２は前後動する。従って、回転板２４が回転するのに伴い、第一インタロック部材２２は上下動し、第二インタロック部材２３は前後動する。
【００２７】
接地用開閉器５は、被接続部３を接地状態及び非接地状態に切り換えるものである。ここで、接地状態とは、負荷側被接続部１３が接地された状態をいい、非接地状態とは、負荷側被接続部１３が接地されてない非接地の状態をいう。接地用開閉器５が「開」の状態のときは非接地状態であり、「閉」のときは接地状態である。接地用開閉器５は、接地用挿入口１２に接地用操作ハンドルＨを挿入して操作する。
【００２８】
接地用操作軸６は、載置台２ａの上面よりも下側に配設され、前後方向に延在している。接地用操作軸６の後端部は、接地用開閉器５と接続されている。接地用操作軸６を回転させると接地用開閉器５が開閉する。接地用操作軸６の前側端部には、接地用挿入口１２を介して接地用操作ハンドルＨが着脱可能な筒状の嵌合部４０（本体部）が形成されている。嵌合部４０の外周には、接地用操作軸６と一体に回転可能に筒状部４１が嵌合されている。
【００２９】
筒状部４１は、図１０、図１１に示すように、嵌合部４０に対して嵌合部４０の中心軸に沿った方向に移動可能に設けられている。筒状部４１は、嵌合部４０の中心軸に沿った方向の接地用挿入口１２側にバネ４４によって付勢されている。筒状部４１は、接地用操作軸６の前側方向にバネ４４によって付勢されている。筒状部４１の前側開口には、接地用挿入口１２を介して接地用操作ハンドルＨの先端部が挿入可能である。筒状部４１は、接地用開閉器５を介して被接続部３を接地状態とする接地位置と、被接続部３を非接地状態とする非接地位置とに回転移動可能である。
【００３０】
筒状部４１の前側端部には、板状の係止板４２が固定されている。係止板４２は、筒状部４１の外周から径外方向へ突出するように配設されている。係止板４２の表面には、「接地」と「ＯＦＦ」との表示がされた表示部４５が形成されている。表示部４５は、前方に向けて配設されている。筒状部４１の外周には、突起４３（凸部）が２つ設けられている。突起４３は、筒状部４１が非接地位置では、筒状部４１の中心軸を中心として左右方向に対称となるように設けられている。筒状部４１の外周には、矩形で環状の第一ロック板５１と第二ロック板５２とが嵌合されている。
【００３１】
第一ロック板５１には、図１２に示すように、筒状部４１が嵌合される嵌合孔６１が形成されている。第一ロック板５１の内周には、突起４３が嵌合される保持用凹部６２，６３，６４，６５が形成されている。保持用凹部６２，６３，６４，６５は、嵌合孔６１内周から外側に向かって切り欠かれた形状に形成されている。保持用凹部６２，６３，６４，６５は、十字方向に４つ、第一保持用凹部６２（第二の凹部）、第二保持用凹部６３（第一の凹部）、第三保持用凹部６４（第二の凹部）、第四保持用凹部６５（第一の凹部）が設けられている。保持用凹部６２，６３，６４，６５は、同一円周上に設けられている。第一ロック板５１は、筐体２のロック板固定部５３に固定されている。
【００３２】
第二ロック板５２には、図１３に示すように、筒状部４１が嵌合される嵌合孔６６が形成されている。第二ロック板５２の内周には、突起４３が挿入される第二凹部６７が形成されている。第二凹部６７は、嵌合孔６６内周から外側に向かって切り欠かれた形状に形成されている。第二凹部６７は、中心角が９０度の円弧状に切り欠かれた形状である。第二凹部６７は、接地用操作軸６の中心軸を中心とした対称な位置に２か所形成されている。第二ロック板５２は、筐体２のロック板固定部５３に固定されている。
【００３３】
（作用）
引出形遮断器４が運転位置にあるときには、被接続部３は、非接地状態である。また、接地用シャッター８は、挿入不能位置にある。そして、第二インタロック部材２３が、接地用シャッター８の挿入可能位置への移動を妨げる位置にある。即ち、図３及び図６に示すように、第二インタロック部材２３の前端部が、接地用シャッター８の係止用凸部７１の移動経路に存在し、接地用シャッター８の挿入可能位置への移動を不能としている。従って、引出形遮断器４が運転位置にあるときには、被接続部３を接地状態とすることができない。よって、誤って接地することを防止することができる。
【００３４】
この状態から、遮断器用ツマミ７２を操作して、遮断器用シャッター７を挿入可能位置へ移動させ、遮断器用挿入口１１に遮断器用操作ハンドルを挿入する。その状態で、遮断器用操作ハンドルを回転させると、引出形遮断器４が後方の運転位置から前方の断路位置に移動する。その際には、引き出し型遮断器４の底板２１で下方へ押圧していた第一インタロック部材２２が上方へバネにより復帰する。それに伴い、回転板２４が回転軸３３を中心に図３において時計回りに回転し、第二インタロック部材２３が後方に移動する。従って、引出形遮断器４が断路位置にある場合は、第二インタロック部材２３が、図４に示すように、接地用シャッター８から離れた位置にあり、接地用ツマミ７３を操作して接地用シャッター８を挿入不能位置から挿入可能位置へ移動させることができる。
【００３５】
この状態で、遮断器用操作ハンドルを抜き出し、遮断器用ツマミ７２を操作して遮断器用シャッター７を挿入不能位置に移動する。その後に、接地用シャッター８を挿入不能位置から挿入可能位置へ移動させ、接地用操作ハンドルＨを接地用挿入口１２に挿入する。非接地状態では、突起４３が第一ロック板５１にある保持用凹部６３，６５により嵌合されており、接地状態に操作できないが、接地用操作ハンドルＨを挿入方向へ突起４３を第二ロック板５２の位置まで押圧すると、突起４３と保持用凹部６３，６５との嵌合が外れ、接地用操作軸６を９０°右回転することが可能となる。第二ロック板５２の位置まで押圧すると突起４３は第二凹部６７に挿入された状態となり、この状態では、接地用操作軸６を最大９０度右回転させることが可能となる。接地用操作ハンドルＨを挿入方向へ押圧した状態で、接地用操作ハンドルＨを回転させて接地用操作軸６を９０度回転させると、接地用開閉器が「閉」となり、被接続部３が接地状態となる。このとき、筒状部４１は接地位置となり、係止板４２の端部が、図７において２点鎖線で示すように、遮断器用シャッター７の移動経路に存在する状態となる。この状態では、遮断器用シャッター７は、挿入可能位置へ到達不能である。この状態では、表示部４５の接地という表示が表示位置に配置される。
【００３６】
従って、被接続部３が接地状態のときに、誤って、引出形遮断器４を運転位置とすることを防止することができ、地絡を防止することができる。また、この時、接地用操作ハンドルＨを挿入方向に押圧することをやめると、筒状部４１が前側に付勢されているので、突起４３が保持用凹部６２，６４に嵌合することとなり、接地用操作ハンドルＨ及び接地用操作軸６を回転することができなくなる。従って、この状態が保たれることになる。
【００３７】
この状態から、引出形遮断器４を運転位置に移動させるには、再び、接地用操作ハンドルＨを接地用挿入口１２に挿入し、接地用操作ハンドルＨを挿入方向へ押圧しながら、先程とは逆回りに９０度左回転させる。そうすると、接地用開閉器５が「開」となり、被接続部３が非接地状態となる。また、筒状部４１も非接地位置に位置することとなり、係止板４２も９０度回転し、図７において実線で示すように、遮断器用シャッター７と干渉しない位置に存在することとなる。即ち、係止板４２が、遮断器用シャッター７の挿入可能位置への到達を可能とする位置にある。この状態では、表示部４５のＯＦＦという表示が表示位置に配置される。
【００３８】
そして、接地用操作ハンドルＨを取り外し、接地用シャッター８を挿入不能位置に移動させる。この状態で、遮断器用シャッター７を挿入可能位置に移動させる。そして、遮断器用操作ハンドルを遮断器用挿入口１１に挿入し、先程とは逆方向に回転させると、引出形遮断器４が断路位置から運転位置へと移動する。この移動に伴い、引き出し型遮断器４の底板２１が第一インタロック部材２２を下方に押圧する。第一インタロック部材２２は、下方へ移動し、それに伴い回転板２４が回転し、第二インタロック部材２３が前方に移動する。よって、第二インタロック部材２３は、接地用シャッター８の挿入可能位置への移動を妨げる位置に移動する。即ち、接地用シャッター８が挿入可能位置へ移動する際に係止用凸部７１が通る経路上に、第二インタロック部材２３の前端部が位置する。従って、接地用シャッター８を挿入可能位置へ移動させようとすると、接地用シャッター８の係止用凸部７１に第二インタロック部材２３の前端部が当接し、接地用シャッター８を挿入可能位置へ移動させることができない。従って、引出形遮断器４が運転位置に位置する場合、被接続部３を接地状態とすることができず、短絡を防止することができる。
【符号の説明】
【００３９】
１    配電盤
２    筐体
３    被接続部
４    引出形遮断器
５    接地用開閉器
６    接地用操作軸
７    遮断器用シャッター
８    接地用シャッター
１１    遮断器用挿入口
１２    接地用挿入口
１３    負荷側被接続部
１４    電源側被接続部
１５    負荷側接続端子
１６    電源側接続端子
２１    インタロック用凸部
２３    第二インタロック部材
４２    係止板
【図１】
2018182788.tif 000003
【図２】
2018182788.tif 000004
【図３】
2018182788.tif 000005
【図４】
2018182788.tif 000006
【図５】
2018182788.tif 000007
【図６】
2018182788.tif 000008
【図７】
2018182788.tif 000009
【図８】
2018182788.tif 000010
【図９】
2018182788.tif 000011
【図１０】
2018182788.tif 000012
【図１１】
2018182788.tif 000013
【図１２】
2018182788.tif 000014
【図１３】
2018182788.tif 000015
【図１４】
2018182788.tif 000016